(57)【要約】【課題】無線劣化時に各ポート間の実効スループットを一定とし回路規模を抑制する。【解決手段】２つのポートＬＡＮ信号を無線伝送装置間で無線伝送する無線伝送システムに、対向局の無線伝送装置から自局の無線伝送装置に２つのポートＬＡＮ送信信号を交互に受信し受信した２つのポートＬＡＮ送信信号の各々の受信データ量を比較した自局のデータ量比較信号を形成し受信した２つのポートＬＡＮ送信信号から対向局のデータ量比較信号を分離する無線受信側回路３２と、自局の無線伝送装置から対向局の無線伝送装置に２つのポートＬＡＮ受信信号を交互に切り替えて無線伝送を行い無線伝送を行う際に無線受信側回路で分離した対向局のデータ量比較信号を基に送信すべき２つのポートＬＡＮ受信信号の送信データ量の割合を変え無線伝送を行うべきＬＡＮ受信信号に無線受信側回路で形成された自局のデータ量比較信号を多重する無線送信側回路３１とを備える。【選択図】図１
2009232147.tif 000002
【特許請求の範囲】
【請求項１】
２つのポートＬＡＮ信号を無線伝送装置間で無線伝送する無線伝送システムにおいて、
対向局の無線伝送装置から自局の無線伝送装置に２つのポートＬＡＮ送信信号を交互に受信し、受信した２つのポートＬＡＮ送信信号の各々の受信データ量を比較した自局のデータ量比較信号を形成し、さらに、受信した２つのポートＬＡＮ送信信号から対向局のデータ量比較信号を分離する無線受信側回路と、
自局の無線伝送装置から対向局の無線伝送装置に２つのポートＬＡＮ受信信号を交互に切り替えて無線伝送を行い、無線伝送を行う際に前記無線受信側回路で分離した対向局のデータ量比較信号を基に送信すべき２つのポートＬＡＮ受信信号の送信データ量の割合を変え、さらに、無線伝送を行うべきＬＡＮ受信信号に前記無線受信側回路で形成された自局のデータ量比較信号を多重する無線送信側回路とを備えることを特徴とする無線伝送システム。
【請求項２】
２つのポートＬＡＮ信号を無線伝送装置間で無線伝送する無線伝送システムにおいて、
２つのポートＬＡＮ受信信号の各々をフレーム単位で受信し、受信した順序で格納し、受信した読出し制御信号により受信した２つのポートＬＡＮ受信信号の各々を交互に切り替えて、受信した順序に従ってフレーム単位でポートフレーム受信信号として送信する２つの受信フレームバッファと、
前記受信フレームバッファの各々からのポートフレーム受信信号にポート情報、誤り検出情報とを付加したポートカプセル信号をそれぞれ送信する２つのポート情報付加回路と、
読み出し制御信号を２つの前記受信フレームバッファに送信し前記ポート情報付加回路の各々からポートカプセル化信号を受信しカプセル化信号として送信し、受信した対向局のデータ量比較信号を基に送信すべきポートカプセル化信号の送信データ量の割合を変えるポート判定回路と、
前記ポート判定回路からのカプセル信号のデータ量をカウントし、あらかじめ決められた一定の値を超えた後にカウント中のフレームのタイミングの終わりのタイミングでカウンタリセット信号を読み出し制御信号として前記ポート判定回路に送信する積算カウンタと、
前記ポート判定回路からのカプセル化信号と受信した自局のデータ量比較信号を多重してデジタル受信信号として対向局に送信する多重回路と、
対向局からデジタル送信信号を受信し誤り検出情報を確認し、ポート情報を検出し、フレーム単位で２つのポートフレーム送信信号を分離し、さらに、対向局のデータ量比較信号を分離し、分離した対向局のデータ量比較信号を前記ポート判定回路に送信する分離回路と、
前記分離回路で分離された２つのポートフレーム送信信号の受信データ量を比較し、比較した結果として自局のデータ量比較信号を前記多重回路に送信するデータ量比較回路と、
前記分離回路から分離された２つのポートフレーム送信信号を受信し、受信した順序を保って一時的に格納し、格納したＬＡＮ信号を受信した順序に従ってフレーム単位で、ポートフレーム送信信号として送信する２つの送信フレームバッファとを備えることを特徴とする無線伝送システム。
【請求項３】
２つのポートＬＡＮ信号を自局と対向局の無線伝送装置間で無線伝送する無線伝送システムにおいて、
自局と対向局の無線伝送装置間で無線伝送を行うアンテナと、
前記アンテナへ送受信するアナログ信号の送信／受信、変調／復調を行い、前記多重回路からのデジタル信号と前記分離回路へのデジタル送信信号の分離、結合を行う変調回路と、
２つのポートＬＡＮ信号を送受信し、送受信した２つのポートＬＡＮ信号に対して、前記２つの受信フレームバッファへ送信するポートＬＡＮ受信信号と前記２つの送信フレームバッファから受信するポートＬＡＮ送信信号の間で分離し、結合を行う２つのＬＡＮポートとを備えることを特徴とする、請求項２に記載の無線伝送システム。
【請求項４】
前記データ量比較回路では、２つのポートフレーム送信信号の一方の受信データ量と他方の受信データ量とを比較し一方が他方よりもあらかじめ決められた一定の値よりも多くなった場合にはその旨を示す自局のデータ量比較信号を出力し、前記ポート判定回路では、受信した対向局のデータ量比較信号が２つのポートフレーム送信信号の一方の受信データ量が他方の受信データ量よりもあらかじめ決められた一定の値より多くなった旨を示す場合には、送信すべき一方のポートカプセル化信号と他方のポートカプセル化信号の送信データ量を割合が１対２になるように変え、一方のポートカプセル化信号から他方のポートカプセル化信号への切り替えは前記積算カウンタリセットを１回検出する毎に行い、他方のポートカプセル化信号から一方のポートカプセル化信号への切り替えは積算カウンタリセット信号を２回検出する毎に行うことを特徴とする、請求項２に記載の無線伝送システム。
【請求項５】
前記データ量比較回路は、アップダウンカウンタであり、分離された２つのポートフレーム送信信号の一方のデータ入力に対してカウントアップし、他方のデータ入力に対してカウントダウンし、分離された２つのポートフレーム送信信号の受信データ量の差を求めることを特徴とする、請求項２に記載の無線伝送システム。
【請求項６】
２つのポートＬＡＮ信号を無線伝送する無線伝送装置において、
対向局から自局に２つのポートＬＡＮ送信信号を交互に受信し、受信した２つのポートＬＡＮ送信信号の各々の受信データ量を比較した自局のデータ量比較信号を形成し、さらに、受信した２つのポートＬＡＮ送信信号から対向局のデータ量比較信号を分離する無線受信側回路と、
自局から対向局に２つのポートＬＡＮ受信信号を交互に切り替えて無線伝送を行い、無線伝送を行う際に前記無線受信側回路で分離した対向局のデータ量比較信号を基に送信すべき２つのポートＬＡＮ受信信号の送信データ量の割合を変え、さらに、無線伝送を行うべきＬＡＮ受信信号に前記無線受信側回路で形成された自局のデータ量比較信号を多重する無線送信側回路とを備えることを特徴とする無線伝送装置。
【請求項７】
２つのポートＬＡＮ信号を無線伝送装置間で無線伝送する無線伝送方法において、
対向局の無線伝送装置から自局の無線伝送装置に２つのポートＬＡＮ送信信号を交互に受信する工程と、
受信した２つのポートＬＡＮ送信信号の各々の受信データ量を比較した自局のデータ量比較信号を形成する工程と、
受信した２つのポートＬＡＮ送信信号から対向局のデータ量比較信号を分離する工程と、
分離した対向局のデータ量比較信号を基に送信すべき２つのポートＬＡＮ受信信号の送信データ量の割合を変え、自局の無線伝送装置から対向局の無線伝送装置に２つのポートＬＡＮ受信信号を交互に切り替えて無線伝送を行う工程と、
無線伝送を行うべきＬＡＮ受信信号に自局のデータ量比較信号を多重する工程とを備えることを特徴とする無線伝送方法。
【発明の詳細な説明】
【技術分野】
【０００１】
本発明は２ポートのＬＡＮ（ローカル・エリア・ネットワーク）信号を伝送する無線伝送システムに関する。特に、本発明は、無線回線劣化時に伝送するフレーム長が変化しても、各ポート間の実効スループットの比率が一定になるようする無線伝送システム、装置及び方法に関する。
【背景技術】
【０００２】
図７は本発明の背景となる無線伝送システムの概略構成例を示すブロック図である。なお、全図を通して同一の構成要素には同一の符号、記号を付する。
本図に示すように、無線伝送システムは、無線伝送装置１１、アンテナ１２、アンテナ１３、無線伝送装置１４で構成される。
無線伝送装置１１は、ＬＡＮポート１１１、ＬＡＮポート１１２、無線送受信回路１１３、変復調回路１１４で構成される。
【０００３】
また、無線伝送装置１４は、ＬＡＮポート１４１、ＬＡＮポート１４２、無線送受信回路１４３、変復調回路１４４で構成される。
無線伝送装置１１は、ポート１ＬＡＮ信号１１ａ、ポート２ＬＡＮ信号１１ｂを送受信し、アナログ信号１１ｃをアンテナ１２へ送受信する。
ここで、ポート１ＬＡＮ信号１１ａはポート１で受信するＬＡＮ信号、ポート２ＬＡＮ信号１１ｂはポート２で受信するＬＡＮ信号である。
【０００４】
無線伝送装置１１において、ＬＡＮポート１１１は、ポート１ＬＡＮ信号１１ａを送受信し、ＬＡＮポート１１１から無線送受信回路１１３へ送信するポート１ＬＡＮ受信信号１１１ａと、無線送受信回路１１３からＬＡＮポート１１１へ送信するポート１ＬＡＮ送信信号１１３ａとに分離、結合する。
同様に、ＬＡＮポート１１２は、ポート２ＬＡＮ信号１１ｂを入出力し、ＬＡＮポート１１２から無線送受信回路１１３へ送信するポート２ＬＡＮ受信信号１１２ａと、無線送受信回路１１３からＬＡＮポート１１２へ送信するポート２ＬＡＮ送信信号１１３ｂとに分離、結合する。
【０００５】
無線送受信回路１１３は、ＬＡＮポート１１１からポート１ＬＡＮ受信信号１１１ａ、ＬＡＮポート１１２からポート２ＬＡＮ受信信号１１２ａ、変復調回路１１４からデジタル送信信号１１４ａを受信し、ＬＡＮポート１１１へポート１ＬＡＮ送信信号１１３ａ、ＬＡＮポート１１２へポート２ＬＡＮ送信信号１１３ｂ、変復調回路１１４へデジタル受信信号１１３ｃを送信する。
【０００６】
変復調回路１１４は、アナログ信号１１ｃを送信/受信し、変調/復調して、無線送受信回路１１３から変復調回路１１４へ送信するデジタル受信信号１１３ｃと、変復調回路１１４から無線送受信回路１１３へ送信するデジタル送信信号１１４ａの分離、結合を行う。
アンテナ１２は、変復調回路１１４からアナログ信号１１ｃを送受信して、アンテナ１３へ無線信号１２ａを送受信する。
【０００７】
アンテナ１３は、アンテナ１２から無線信号１２ａを送受信して、無線伝送装置１４へアナログ信号１４ｃを送受信する。
無線伝送装置１４は、アナログ信号１４ｃを送受信し、ポート１ＬＡＮ信号１４ａ、ポート２ＬＡＮ信号１４ｂを送受信する。
無線伝送装置１４の構成は、無線伝送装置１１と同様である。
【０００８】
図８は図７における無線送受信回路の概略構成例を示すブロック図である。本図に示すように、無線送受信回路１１３は無線送信側回路３１及び無線受信側回路３２で構成される。
無線送信側側回路３１における受信フレームバッファ３１１は、ポート１ＬＡＮ受信信号１１１ａをフレーム単位で受信し、受信した順序を保って一時的に格納する。
【０００９】
また、受信フレームバッファ３１１は、後述する読み出し制御信号３１９ａにイネーブル信号を検出すると、格納したＬＡＮ信号を受信した順序に従ってフレーム単位で後述するオーバーカウンタ３１２、ポート情報付加回路３１５、積算カウンタ３１６へポート１フレーム受信信号３１１ａとして送信する。
ポート情報付加回路３１５は、ポート１フレーム受信信号３１１ａに受信ポートを識別するためのポート情報と無線区間での信号誤りを検出する為の誤り検出情報とを付加し、フレーム単位で、ポート判定回路３１９へ、ポート１カプセル信号３１５ａとして送信する。
【００１０】
積算カウンタ３１６は、ポート１フレーム受信信号３１１ａと後述するオーバーカウンタ値３１２ａ（データ量Ｃをオーバーしたデータ量ΔＣ）を受信し、ポート１フレーム受信信号３１１ａのデータ量をカウントし、カウント値があらかじめ決められたある一定値（各ポートで１ラウンドで伝送するデータ量Ｃ）に達すると、オーバーカウンタ３１２へ積算カウンタセット信号３１６ａとしてパルスを送出し、カウント中のフレームの終わりがくると同時にポート判定回路３１９へ積算カウンタリセット信号３１６ｂとしてパルスを送出し、カウンタ値をオーバーカウンタ値３１２ａの値（ΔＣ）へセットする。
【００１１】
オーバーカウンタ３１２は、ポート１フレーム受信信号３１１ａと積算カウンタセット信号３１６ａを受信し、積算カウンタセット信号３１６ａにパルスを検出するとポート１フレーム受信信号３１１ａのデータ量のカウントを始め、そのフレームの終わりがくると同時に積算カウンタ３１６へカウンタ値をオーバーカウンタ値３１２ａ（ΔＣ）として送信して、オーバーカウンタを０へリセットする。
【００１２】
上記までが、ポート１のポート１ＬＡＮ信号１１ａの受信から、ポート判定回路３１９へのポート１カプセル化信号３１５ａと積算カウンタリセット信号３１６ｂの送信までのデータの流れだが、ポート２のポート２ＬＡＮ信号１１ｂの送信から、ポート判定回路３１９へのポート２カプセル化信号３１７ａと積算カウンタリセット信号３１８ｂの送信までのデータの流れも同等であるものとする。
【００１３】
ポート判定回路３１９は、ポート１カプセル化信号３１５ａ、積算カウンタリセット信号３１６ｂ、ポート２カプセル化信号３１７ａ、積算カウンタリセット信号３１８ｂを受信し、積算カウンタリセット信号３１６ｂにパルスを検出すると、受信フレームバッファ３１１へディスエーブル信号を読み出し制御信号３１９ａとして送信し、受信フレームバッファ３１３へイネーブル信号を読み出し制御信号３１９ｂとして送信して、受信するポート２カプセル化信号３１７ａをデジタル受信信号１１３ｃとして変復調回路１１４へ出力し、積算カウンタリセット信号３１８ｂにパルスを検出すると、受信フレームバッファ３１１へイネーブル信号を読み出し制御信号３１９ａとして送信し、受信フレームバッファ３１３へディスエーブル信号を読み出し制御信号３１９ｂとして送信して、受信するポート１カプセル化信号３１５ａ信号をデジタル受信信号１１３ｃとして変復調回路１１４へ送信する。
【００１４】
ここで、読み出し制御信号３１９ａをイネーブル状態としても、ポート１カプセル化信号３１５ａにデータの出力が無い場合には、読み出し制御信号３１９ａをディスエーブル状態とし、読み出し制御信号３１９ｂをイネーブル状態とする。
同様に、読み出し制御信号３１９ｂをイネーブル状態としても、ポート２カプセル化信号３１７ａにデータの出力が無い場合には、読み出し制御信号３１９ｂをディスエーブル状態とし、読み出し制御信号３１９ａをイネーブル状態とする。
【００１５】
変復調回路１１４は、デジタル受信信号１１３ｃを受信して変調し、アナログ信号１１ｃとしてアンテナ１２へ出力する。
アンテナ１２は、受信したアナログ信号１１ｃを無線信号１２ａとしてアンテナ１３へ出力する。
アンテナ１３は、受信した無線信号１２ａをアナログ信号１４ｃとして無線伝送装置１４へ出力する。
【００１６】
ここで、本無線伝送システムは、自局と対向局で対称なシステムとなっており、無線伝送装置１４は、無線伝送装置１１と同様の動作をする。
無線伝送装置１１は、無線伝送装置１４と同様にアナログ信号１１ｃを受信する。
変復調回路１１４は、アナログ信号１１ｃを受信し、復調して、無線送受信回路１１３へデジタル送信信号１１４ａを送信する。
【００１７】
無線受信側回路３２の分離回路３２３は、デジタル送信信号１１４ａを受信し、誤り検出情報を確認し、データ信号列に誤りがない場合に、ポート情報を検出するとともに、ポート情報および誤り検出情報を削除し、抽出したポート情報に従って送出するポートを決定し、フレーム単位でポート１（ＬＡＮポート１１１）向け信号は送信フレームバッファ３２１へポート１フレーム送信信号３２３ａとして分離し、ポート２（ＬＡＮポート１１２）向け信号は送信フレームバッファ３２２へポート２フレーム送信信号３２３ｂとして分離し送信する。
【００１８】
送信フレームバッファ３２１は、分離されたポート１フレーム送信信号３２３ａをフレーム単位で受信し、受信した順序を保って一時的に格納する。
また、送信フレームバッファ３２１は、格納したＬＡＮ信号を受信した順序に従ってフレーム単位でＬＡＮポート１１１へポート１ＬＡＮ送信信号１１３ａとして送信する。
同様に、送信フレームバッファ３２２は、分離されたポート２フレーム送信信号３２３ｂをフレーム単位で受信し、受信した順序を保って一時的に格納する。
【００１９】
また、送信フレームバッファ３２２は、格納したＬＡＮ信号を受信した順序に従ってフレーム単位でＬＡＮポート１１２へポート１ＬＡＮ送信信号１１３ｂとして送信する。
換言すれば、上記の無線伝送システムでは、各ポートで１ラウンドで伝送するデータ量Ｃをあらかじめ決めておき、フレームサイズの関係で１ラウンドで送信するデータ量がＣ以上となった場合に、データ量Ｃをオーバーしたデータ量ΔＣをカウントしておき、次のそのポートのラウンドのデータ送出量を(Ｃ−ΔＣ）とし、ラウンドを各ポートで交互に繰り返すという方法である。
【００２０】
しかしながら、上記の無線伝送システムにおいては、無線伝送のフレーム長の違い等の要因により、無線送信側回路で送出する各ポートのスループットの比率が一定でも、無線劣化時には受信側のスループット(実効スループット)の比率が一定ではなくなることがある。
このため、上記の無線伝送システムにおいては、次のような課題がある。
【００２１】
第１の課題は、各ポート間のスループットの調整を無線送信側回路のみで行っているため、無線劣化により無線回線でフレームロスが発生するとスループットを一定にできないということである。
第２の課題は、積算カウンタ、オーバーカウンタの構造が複雑になり、回路規模が大きくなるということである。
【００２２】
このように、ＬＡＮ信号を伝送する無線伝送システムの従来技術として、以下の特許文献に記載のものがある。
長時間パケットを受信しているポートに一旦アクセスを中止させ、代りに他のポートに優先してパケットを受信させ、ネットワーク全体のスループットを向上可能にするため、支線ＬＡＮを束ねる基幹ＬＡＮに導入したスイッチングハブの複数のポートに対し、該ポートに入って溜ってくるパケット量が設定値を超えるとコリジョン信号を出力して、支線ＬＡＮに対応のクライアントに対するパケットの送信を停止させる制御回路を接続するものがある（例えば、特許文献１参照）。
【００２３】
しかしながら、上記特許文献１では、ネットワーク全体のスループットを向上するものであるが、無線劣化により無線回線でフレームロスが発生した場合各ポート間のスループットを一定にするというものではない。
また、基地局装置相互間を移動する端末装置の移動情報から統計的に得られた情報を用いて自律的に、新たな基地局装置に効率的に接続を切替えるため、複数の無線基地局と、特定の周波数帯域を使用して通信を行う１つまたは複数の無線移動端末装置と、前記複数の無線基地局間を接続する有線ＬＡＮとで構成される無線ＬＡＮを用いた通信システムにおいて、無線基地局においては、他の無線基地局の通話ゾーンに移動する移動端末装置各々に関する接続情報の統計情報を集計する統計集計手段と、前記統計手段によって集計
された接続情報から、当該端末装置が最も移動する確率の高い順に優先度づけを行った基地局切替情報を各移動端末に通知する手段を有し、前記無線移動端末装置においては、前記基地局から移動前にあらかじめ通知された切替情報から、切替え優先度の高い基地局情報順に、移動先の基地局との通話周波数の選択する周波数選択手段を有するものもある（例えば、特許文献２参照）。
【００２４】
しかしながら、上記特許文献２では、切替え優先度の高い基地局情報順に、移動先の基地局との通話周波数の選択する無線ＬＡＮを用いた通信システムであるが、無線劣化により無線回線でフレームロスが発生した場合各ポート間のスループットを一定にするというものではない。
また、トラフィック量の大きな加入者に物理リンクが占有されることのないように、各加入者に対して帯域割り当ての公平性を確保するため、論理的に多重化されたＶＬＡＮの数に従って各ＶＬＡＮにそれぞれ対応するキューを作成し、受信したパケットのＶＬＡＮ
ＩＤおよび宛先ＩＰアドレスに基づき、この受信パケットが所属するＶＬＡＮのキューにこのパケットのデータを振り分け、次に複数のキューにそれぞれ振り分けられたパケットのデータを各キューから所定の順序で送出するものもある（例えば、特許文献３参照）。
【００２５】
しかしながら、上記特許文献３では、ＶＬＡＮのキューにパケットのデータを振り分けるが、無線劣化により無線回線でフレームロスが発生した場合各ポート間のスループットを一定にするというものではない。
また、ユーザ毎の帯域の割り当てを任意に設定することを可能とすることで設定通りの安定な通信状態を確保することができるとともに、その割り当て作業を容易に行うことを可能とすることで高い保守性を確保することができる回線接続装置及び帯域制限方法を提供するため、帯域制限部は、ポート毎に通過するデータの帯域を制限し、ＶＬＡＮタグ挿入部は、ネットワークに接続されたコンピュータの識別情報（例えば、ＭＡＣアドレス）と帯域制限部の通過させるポートとを示す情報であるＶＬＡＮタグとを記憶し、ネットワークから送信されてきたデータに含まれる送信元アドレスに対応付けられているＶＬＡＮタグをデータに挿入し、スイッチ部はデータに含まれるＶＬＡＮタグに応じて出力するデータを振り分けるものもある（例えば、特許文献４参照）。
【００２６】
しかしながら、上記特許文献４では、データに含まれるＶＬＡＮタグに応じて出力するデータを振り分けるが、無線劣化により無線回線でフレームロスが発生した場合各ポート間のスループットを一定にするというものではない。
また、ＶＰＮにより相互接続された個々のＬＡＮのセキュリティレベルの変動に対処するため、インターネットに、ＶＰＮ用の接続手段を介して、ＬＡＮとＬＡＮを接続し、両者間での暗号通信により、ＶＰＮ通信路を形成する。評価部により、ＬＡＮのセキュリティレベルを示す評価値を作成させ、評価部により、ＬＡＮのセキュリティレベルを示す評価値を作成させ、作成した評価値は、送信部により相手方へと送信し、接続制御部は、それぞれ自己側の評価値と相手側の評価値とを比較し、両者の差が所定の許容範囲を越えていた場合には、接続手段による通信機能を停止させ、その結果、両ＬＡＮのセキュリティレベルが大きく異なる事態が生じると、両者間のＶＰＮ通信は自動的に遮断されるものもある（例えば、特許文献５参照）。
【００２７】
しかしながら、上記特許文献５では、相互接続された個々のＬＡＮのセキュリティレベルの変動に対処するが、無線劣化により無線回線でフレームロスが発生した場合各ポート間のスループットを一定にするというものではない。
また、無線伝送路上に予めＬＡＮ回線毎に固定帯域を割り当てることなく、互いに信号が混ざり合うことのない複数の独立したＬＡＮ回線を一つの無線伝送路に収容することが可能な無線伝送システムを提供するため、ポート情報付加回路は送信順序決定回路から読出しを行うポートを示すポート選択信号を取得し、そのポート選択信号にしたがって受信フレームバッファのいずれか一方に対してフレーム単位でＬＡＮ信号を読出すための読出し制御信号を送出し、ポート情報付加回路は読出しＬＡＮ信号に受信ポートを識別するためのポート情報と、無線区間での信号誤りを検出するための誤り検出情報とを付加し、フレーム単位で送信カプセル化ＬＡＮ信号を生成し、無線送受信回路及び無線伝送路を介して無線伝送装置へ出力するものもある（例えば、特許文献６参照）。
【００２８】
しかしながら、上記特許文献６では、無線区間での信号誤りを検出するための誤り検出情報とを付加し、フレーム単位で送信カプセル化ＬＡＮ信号を生成し、無線送受信回路及び無線伝送路を介して無線伝送装置へ出力するが、無線劣化により無線回線でフレームロスが発生した場合各ポート間のスループットを一定にするというものではない。
また、エンドユーザに対する帯域割当てを行うＬＡＮシステム及び帯域自動割当方法に関し、帯域の有効利用を図るため、上位回線に接続した上位装置１に複数のエンドユーザである端末を下位回線により接続し、上位装置は、端末との間の最大回線速度を決定する回線速度決定部と、上位回線の伝送帯域に対応して予め端末対応の帯域保証値又は帯域制限値を設定した帯域保証／制限部と、回線速度決定部により決定した端末対応の最大回線速度と帯域保証／制限部に設定した帯域保証値又は帯域制限値と比較する速度比較部と、この速度比較部による比較結果、最大回線速度より帯域保証値又は帯域制限値が大きい場合に、帯域保証／制限部の帯域保証値又は帯域制限値を、最大回線速度に更新制御する速度制御部とを含み、端末に対する帯域割当てを行うものもある（例えば、特許文献７参照）。
【００２９】
しかしながら、上記特許文献７では、上記特許文献１では、エンドユーザに対する帯域割当てを行うＬＡＮシステムの帯域の有効利用を図るが、無線劣化により無線回線でフレームロスが発生した場合各ポート間のスループットを一定にするというものではない。
また、早い位相同期引き込みと大きなジッタ抑圧量の両者を実現し得るディジタル位相同期回路を提供するため、受信信号からタイミング情報を抽出するディジタル移動同期回路において、受信信号の変化点を示すパルスを発生する変化点検出手段と、この変化点検出手段の出力パルスの位相と受信信号の信号速度に等しいクロックの位相とを比較し、位相が異なるときには一方の出力にパルスを発生し、位相が同一のときには一方および他方の出力にパルスを発生する位相比較手段と、この位相比較手段の一方の出力に接続されパルスをカウントするアップカウンタと、前記位相比較手段の他方の出力に接続されパルスをカウントするダウンカウンタと、これらのカウンタのオーバーフロー情報を入力とするＲ−Ｓフリップフロップと、このＲ−Ｓフリップフロップの出力がクロックとして与えられ、前記アップカウンタ及びダウンカウンタの積分段数を定めるカウンタ回路と、前記Ｒ−Ｓフリップフロップの出力が定常状態のときに前記カウンタ回路をリセットする手段と、前記積分段数が十分にジッタを抑制する積分段数であるときに、前記Ｒ−Ｓフリップフロップのクロックの前記カウンタ回路への入力を停止させる手段とを備えるものもある（例えば、特許文献８参照）。
【００３０】
しかしながら、上記特許文献８では、早い位相同期引き込みと大きなジッタ抑圧量の両者を実現するが、無線劣化により無線回線でフレームロスが発生した場合各ポート間のスループットを一定にするというものではない。
【００３１】
【特許文献１】特開２０００−００４２５０号公報
【特許文献２】特開２００１−１０３５３１号公報
【特許文献３】特開２００３−２０４３４３号公報
【特許文献４】特開２００３−２５８８３０号公報
【特許文献５】特開２００５−３２２９６４号公報
【特許文献６】特開２００６−１１５０３４号公報
【特許文献７】特開２００７−２２８３１２号公報
【特許文献８】特開昭６１−２４８６３５号公報
【発明の開示】
【発明が解決しようとする課題】
【００３２】
したがって、本発明は上記問題点に鑑みて、無線劣化時においても、各ポート間の実効スループットが一定となる無線伝送システムを、回路規模を大きくすることなく、提供することを目的とする。
【課題を解決するための手段】
【００３３】
本発明は前記問題点を解決するために、２つのポートＬＡＮ信号を無線伝送装置間で無線伝送する無線伝送システムにおいて、対向局の無線伝送装置から自局の無線伝送装置に２つのポートＬＡＮ送信信号を交互に受信し、受信した２つのポートＬＡＮ送信信号の各々の受信データ量を比較した自局のデータ量比較信号を形成し、さらに、受信した２つのポートＬＡＮ送信信号から対向局のデータ量比較信号を分離する無線受信側回路と、自局の無線伝送装置から対向局の無線伝送装置に２つのポートＬＡＮ受信信号を交互に切り替えて無線伝送を行い、無線伝送を行う際に前記無線受信側回路で分離した対向局のデータ量比較信号を基に送信すべき２つのポートＬＡＮ受信信号の送信データ量の割合を変え、さらに、無線伝送を行うべきＬＡＮ受信信号に前記無線受信側回路で形成された自局のデータ量比較信号を多重する無線送信側回路とを備えることを特徴とする無線伝送システムを提供する。
【００３４】
さらに、本発明は、２つのポートＬＡＮ信号を無線伝送装置間で無線伝送する無線伝送システムにおいて、２つのポートＬＡＮ受信信号の各々をフレーム単位で受信し、受信した順序で格納し、受信した読出し制御信号により受信した２つのポートＬＡＮ受信信号の各々を交互に切り替えて、受信した順序に従ってフレーム単位でポートフレーム受信信号として送信する２つの受信フレームバッファと、前記受信フレームバッファの各々からのポートフレーム受信信号にポート情報、誤り検出情報とを付加したポートカプセル信号をそれぞれ送信する２つのポート情報付加回路と、読み出し制御信号を２つの前記受信フレームバッファに送信し前記ポート情報付加回路の各々からポートカプセル化信号を受信しカプセル化信号として送信し、受信した対向局のデータ量比較信号を基に送信すべきポートカプセル化信号の送信データ量の割合を変えるポート判定回路と、前記ポート判定回路からのカプセル信号のデータ量をカウントし、あらかじめ決められた一定の値を超えた後にカウント中のフレームのタイミングの終わりのタイミングでカウンタリセット信号を読み出し制御信号として前記ポート判定回路に送信する積算カウンタと、前記ポート判定回路からのカプセル化信号と受信した自局のデータ量比較信号を多重してデジタル受信信号として対向局に送信する多重回路と、対向局からデジタル送信信号を受信し誤り検出情報を確認し、ポート情報を検出し、フレーム単位で２つのポートフレーム送信信号を分離し、さらに、対向局のデータ量比較信号を分離し、分離した対向局のデータ量比較信号を前記ポート判定回路に送信する分離回路と、前記分離回路で分離された２つのポートフレーム送信信号の受信データ量を比較し、比較した結果として自局のデータ量比較信号を前記多重回路に送信するデータ量比較回路と、前記分離回路から分離された２つのポートフレーム送信信号を受信し、受信した順序を保って一時的に格納し、格納したＬＡＮ信号を受信した順序に従ってフレーム単位で、ポートフレーム送信信号として送信する２つの送信フレームバッファとを備えることを特徴とする無線伝送システムを提供する。
【００３５】
さらに、２つのポートＬＡＮ信号を自局と対向局の無線伝送装置間で無線伝送する無線伝送システムにおいて、自局と対向局の無線伝送装置間で無線伝送を行うアンテナと、前記アンテナへ送受信するアナログ信号の送信／受信、変調／復調を行い、前記多重回路からのデジタル信号と前記分離回路へのデジタル送信信号の分離、結合を行う変調回路と、２つのポートＬＡＮ信号を送受信し、送受信した２つのポートＬＡＮ信号に対して、前記２つの受信フレームバッファへ送信するポートＬＡＮ受信信号と前記２つの送信フレームバッファから受信するポートＬＡＮ送信信号の間で分離し、結合を行う２つのＬＡＮポートとを備える。
【００３６】
さらに、前記データ量比較回路では、２つのポートフレーム送信信号の一方の受信データ量と他方の受信データ量とを比較し一方が他方よりもあらかじめ決められた一定の値よりも多くなった場合にはその旨を示す自局のデータ量比較信号を出力し、前記ポート判定回路では、受信した対向局のデータ量比較信号が２つのポートフレーム送信信号の一方の受信データ量が他方の受信データ量よりもあらかじめ決められた一定の値より多くなった旨を示す場合には、送信すべき一方のポートカプセル化信号と他方のポートカプセル化信号の送信データ量を割合が１対２になるように変え、一方のポートカプセル化信号から他方のポートカプセル化信号への切り替えは前記積算カウンタリセットを１回検出する毎に行い、他方のポートカプセル化信号から一方のポートカプセル化信号への切り替えは積算カウンタリセット信号を２回検出する毎に行う。
【００３７】
さらに、前記データ量比較回路は、アップダウンカウンタであり、分離された２つのポートフレーム送信信号の一方のデータ入力に対してカウントアップし、他方のデータ入力に対してカウントダウンし、分離された２つのポートフレーム送信信号の受信データ量の差を求める。
さらに、本発明は、２つのポートＬＡＮ信号を無線伝送する無線伝送装置において、対向局から自局に２つのポートＬＡＮ送信信号を交互に受信し、受信した２つのポートＬＡＮ送信信号の各々の受信データ量を比較した自局のデータ量比較信号を形成し、さらに、受信した２つのポートＬＡＮ送信信号から対向局のデータ量比較信号を分離する無線受信側回路と、自局から対向局に２つのポートＬＡＮ受信信号を交互に切り替えて無線伝送を行い、無線伝送を行う際に前記無線受信側回路で分離した対向局のデータ量比較信号を基に送信すべき２つのポートＬＡＮ受信信号の送信データ量の割合を変え、さらに、無線伝送を行うべきＬＡＮ受信信号に前記無線受信側回路で形成された自局のデータ量比較信号を多重する無線送信側回路とを備えることを特徴とする無線伝送装置を提供する。
【００３８】
さらに、本発明は、２つのポートＬＡＮ信号を無線伝送装置間で無線伝送する無線伝送方法において、対向局の無線伝送装置から自局の無線伝送装置に２つのポートＬＡＮ送信信号を交互に受信する工程と、受信した２つのポートＬＡＮ送信信号の各々の受信データ量を比較した自局のデータ量比較信号を形成する工程と、受信した２つのポートＬＡＮ送信信号から対向局のデータ量比較信号を分離する工程と、分離した対向局のデータ量比較信号を基に送信すべき２つのポートＬＡＮ受信信号の送信データ量の割合を変え、自局の無線伝送装置から対向局の無線伝送装置に２つのポートＬＡＮ受信信号を交互に切り替えて無線伝送を行う工程と、無線伝送を行うべきＬＡＮ受信信号に自局のデータ量比較信号を多重する工程とを備えることを特徴とする無線伝送方法を提供する。
【発明の効果】
【００３９】
以上説明したように、本発明によれば、対向局の無線伝送装置から自局の無線伝送装置に２つのポートＬＡＮ送信信号を交互に受信し、受信した２つのポートＬＡＮ送信信号の各々の受信データ量を比較した自局のデータ量比較信号を形成し、受信した２つのポートＬＡＮ送信信号から対向局のデータ量比較信号を分離し、分離した対向局のデータ量比較信号を基に送信すべき２つのポートＬＡＮ受信信号の送信データ量の割合を変え、自局の無線伝送装置から対向局の無線伝送装置に２つのポートＬＡＮ受信信号を交互に切り替えて無線伝送を行い、無線伝送を行うべきＬＡＮ受信信号に自局のデータ量比較信号を多重するようにしたので、  第１の効果はデータの伝送量を無線受信側回路で測定しているので、無線劣化等により、無線伝送区間でフレームロスが発生しても、各ポート間の実効スループットの比率を一定にできることである。
【００４０】
第２の効果はポート１とポート２のデータの伝送量を、別々に測定しているのではなく、データ量比較回路により比較しているので、回路規模を小さくできることである。
第３の効果はデータ量比較回路のデータ量比較条件を変更することにより、ポート１とポート２の実効スループットの比率を変更したり、ポート１、ポート２のスループットが変動する場合に、任意の時間におけるスループットの比率を一定に保つことができることである。
【発明を実施するための最良の形態】
【００４１】
以下、本発明の実施の形態について図面を参照して説明する。
図１は本発明に係る無線伝送システムを構成する無線伝送装置における無線送受信回路の概略構成を示すブロック図である。
本図に示すように、図８と比較して、無線伝送システムを構成する無線伝送装置１１１における無線送受信回路１１３の無線送信側回路３１は、１対の受信フレームバッファ３１１及び受信フレームバッファ３１３、１対のポート情報付加回路３１５及びポート情報付加回路３１７、ポート判定回路３１９、積算カウンタ３１６、多重回路２１７で構成され、無線受信側回路３２は、１対の送信フレームバッファ３２１及び送信フレームバッファ３２２、データ量比較回路２２３、分離回路３２３で構成される。
【００４２】
無線送信側回路３１において、受信フレームバッファ３１１は、ポート１ＬＡＮ（ローカル・エリア・ネットワーク）受信信号１１１ａと、後述する読み出し制御信号２１５ａを受信し、ポート情報付加回路３１５へ、ポート１フレーム受信信号２１１ａを送信する。
ポート情報付加回路３１５は、ポート１フレーム受信信号２１１ａを受信し、ポート情報、誤り情報を付加してポート判定回路３１９へポート１カプセル化信号２１３ａを送信する。
【００４３】
ポート２においても同様に、受信フレームバッファ３１３は、ポート２ＬＡＮ受信信号１１２ａと、後述する読み出し制御信号２１５ｂを受信し、ポート情報付加回路３１７へ、ポート２フレーム受信信号２１２ａを送信する。
ポート情報付加回路３１７は、ポート２フレーム受信信号２１２ａを受信し、ポート情報、誤り情報を付加してポート判定回路３１９へポート２カプセル化信号２１４ａを送信する。
【００４４】
ポート判定回路３１９は、ポート１カプセル化信号２１３ａ、ポート２カプセル化信号２１４ａ、後述する積算カウンタリセット信号２１６ａ、後述する対向局データ量比較信号２２４ｃを受信し、受信フレームバッファ３１１へ読み出し制御信号２１５ａを、受信フレームバッファ３１３へ読み出し制御信号２１５ｂを、多重回路２１７、積算カウンタ３１６へカプセル化信号２１５ｃを送信する。
【００４５】
積算カウンタ３１６は、カプセル化信号２１５ｃを受信し、ポート判定回路３１９へ積算カウンタリセット信号２１６ａを送信する。
多重回路２１７は、カプセル化信号２１５ｃと後述する自局データ量比較信号２２３ａを受信して多重し、変復調回路１１４へデジタル受信信号１１３ｃを送信する。
無線受信側回路３２において、分離回路３２３はデジタル送信信号１１４ａを受信し、送信フレームバッファ３２１とデータ量比較回路２２３へポート１フレーム送信信号２２４ａを送信し、送信フレームバッファ３２２とデータ量比較回路２２３へポート２フレーム送信信号２２４ｂを送信し、ポート判定回路３１９へ対向局のデータ量比較信号２２４ｃを送信する。
【００４６】
データ量比較回路２２３は、ポート１フレーム送信信号２２４ａ、ポート２フレーム送信信号２２４ｂを受信し、多重回路２１７へ自局のデータ量比較信号２２３ａを送信する。
送信フレームバッファ３２１は、ポート１フレーム送信信号２２４ａを受信しＬＡＮポート１１１へポート１ＬＡＮ送信信号１１３ａを送信する。
【００４７】
送信フレームバッファ３２２は、ポート２フレーム送信信号２２４ｂを受信しＬＡＮポート１１２へポート２ＬＡＮ送信信号１１３ｂを送信する。
以下に、図１、図７を参照して本発明の一実施例による無線伝送システムの動作について説明する。
図７において、ＬＡＮポート１１１は、ポート１ＬＡＮ信号１１ａを送受信し、ＬＡＮポート１１１から無線送受信回路１１３へ送信するポート１ＬＡＮ受信信号１１１ａと、無線送受信回路１１３からＬＡＮポート１１１へ送信するポート１ＬＡＮ送信信号１１３ａとに分離する。
【００４８】
同様に、ＬＡＮポート１１２は、ポート２ＬＡＮ信号１１ｂを入出力し、ＬＡＮポート１１２から無線送受信回路１１３へ送信するポート２ＬＡＮ受信信号１１２ａと、無線送受信回路１１３からＬＡＮポート１１２へ受信するポート２ＬＡＮ送信信号１１３ｂとに分離する。
図１の説明に戻り、受信フレームバッファ３１１は、ポート１ＬＡＮ受信信号１１１ａをフレーム単位で受信し、受信した順序を保って一時的に格納する。
また、受信フレームバッファ３１１は、後述する読み出し制御信号２１５ａへイネーブル信号を検出すると、格納したＬＡＮ信号を受信した順序に従ってフレーム単位で後述するポート情報付加回路３１５へポート１フレーム受信信号２１１ａとして送信する。
ポート情報付加回路３１５は、ポート１フレーム受信信号２１１ａを受信し、受信ポートを識別するためのポート情報と、無線区間での信号誤りを検出するための誤り検出情報とを付加し、フレーム単位でポート１カプセル化信号２１３ａを生成し、ポート判定回路３１９へ送信する。
【００４９】
同様に、受信フレームバッファ３１３は、ポート２ＬＡＮ受信信号１１２ａをフレーム単位で受信し、受信した順序を保って一時的に格納する。
また、受信フレームバッファ３１３は、後述する読み出し制御信号２１５ｂへイネーブル信号を検出すると、格納したＬＡＮ信号を受信した順序に従ってフレーム単位で後述するポート情報付加回路３１７へポート２フレーム受信信号２１２ａとして出力する。
【００５０】
ポート情報付加回路３１７は、ポート２フレーム受信信号２１２ａを受信し、受信ポートを識別するためのポート情報と、無線区間での信号誤りを検出するための誤り検出情報とを付加し、フレーム単位でポート２カプセル化信号２１４ａを生成し、ポート判定回路３１９へ送信する。
積算カウンタ３１６は、カプセル化信号２１５ｃのデータ量をカウントし、カウント値があらかじめ決められた一定の値を超えた後に、カウント中のフレームの終わりのタイミングで、積算カウンタリセット信号２１６ａへパルスを送信し、積算カウンタを０へリセットする。
【００５１】
ポート判定回路３１９は、ポート１カプセル化信号２１３ａ、ポート２カプセル化信号２１４ａ、対向局のデータ量比較信号２２４ｃ、積算カウンタリセット信号２１６ａを受信し、ポート１カプセル化信号２１３ａもしくはポート２カプセル化信号２１４ａを選択して、多重回路２１７へカプセル化信号２１５ｃとして送信する。
ここで、カプセル化信号２１５ｃとして送信する、ポート１カプセル化信号２１３ａもしくはポート２カプセル化信号２１４ａの切り替えは、積算カウンタリセット信号２１６ａにパルスを検出するタイミングで実施するものとし、パルス検出時に切り替の条件であるポート１カプセル化信号２１３ａの伝送量１とポート２カプセル化信号２１４ａの伝送量２の割合は分離回路３２３からの対向局のデータ量比較信号２２４ｃの検出結果に基づく。
【００５２】
多重回路２１７は、カプセル化信号２１５ｃと後述する自局データ量比較信号２２３ａを受信し、カプセル化信号２１５ｃへ自局データ量比較信号２２３ａを多重して、変復調回路１１４へデジタル受信信号１１３ｃとして送信する。
変復調回路は１１４、デジタル受信信号１１３ｃを受信し、変調して、アンテナ１２へアナログ信号１１ｃとして送信する。
【００５３】
アンテナ１２は、アナログ信号１１ｃを受信し、アンテナ１３へ無線信号１２ａとして送信する。
アンテナ１３は、無線信号１２ａを受信し、無線伝送装置１４へアナログ信号１４ａとして送信する。
無線伝送装置１４は、アナログ信号１４ａを受信し、ポート１ＬＡＮ信号とポート２ＬＡＮ信号を分離し、ポート１ＬＡＮ信号１４ａ、ポート２ＬＡＮ信号１４ｂとして送信する。
【００５４】
ここで、本無線伝送システムは、自局と対向局で対称なシステムとなっており、無線伝送装置１４は、無線伝送装置１１と同様の動作をする。
図７において、無線伝送装置１１は、無線伝送装置１４と同様にアナログ信号１１ｃを受信する。
変復調回路１１４は、アナログ信号１１ｃを受信し、復調して、無線送受信回路１１３へデジタル送信信号１１４ａを送信する。
【００５５】
図１の説明に戻り、分離回路３２３は、デジタル送信信号１１４ａを受信し、対向局の多重回路２１７で多重したデータ量比較信号を分離し、ポート判定回路３１９へ、対向局データ量比較信号２２４ｃとして送信する。
また、分離回路３２３は、データ量比較信号を分離後の信号より、誤り検出情報を確認し、データ信号に誤りがない場合に、ポート情報を検出するとともに、ポート情報および誤り検出情報を削除し、抽出したポート情報に従って送信するポートを決定し、フレーム単位で、ポート１（ＬＡＮポート１１１）向け信号は、送信フレームバッファ３２１とデータ量比較回路２２３へポート１フレーム送信信号２２４ａとして送信し、ポート２（ＬＡＮポート１１２）向け信号は、送信フレームバッファ３２２とデータ量比較回路２２３へポート２フレーム送信信号２２４ｂとして送信する。
【００５６】
送信フレームバッファ３２１は、ポート１フレーム送信信号２２４ａを受信し、受信した順序を保って一時的に格納し、格納したＬＡＮ信号を受信した順序に従ってフレーム単位で、ＬＡＮポート１１１へポート１フレーム送信信号１１３ａとして送信する。
同様に、送信フレームバッファ３２２は、ポート２フレーム送信信号２２４ｂを受信し、受信した順序を保って一時的に格納し、格納したＬＡＮ信号を受信した順序に従ってフレーム単位で、ＬＡＮポート１１２へポート２フレーム送信信号１１３ｂとして送信する。
【００５７】
図２は無線伝送装置１１及び１４の無線送受信回路１１３及び１４３のデータ量比較回路２２３によりポート１フレーム送信信号２２４ａの受信データ量１、ポート２フレーム送信信号２２４ｂの受信データ量２との比較を説明する図である。本図に示すように、データ量比較回路２２３では、ポート１フレーム送信信号２２４ａの受信データ量１とポート２フレーム送信信号２２４ｂの受信データ量２に対して、受信データ量１−受信データ量２＞α（一定値）、受信データ量２−受信データ量１＞α（一定値）、｜受信データ量１−受信データ量２｜≦αのいずれかの比較結果を求める。αは変更可能である。
【００５８】
すなわち、データ量比較回路２７４では、ポート１フレーム送信信号２２４ａの受信データ量１、ポート２フレーム送信信号２２４ｂの受信データ量２を直接カウントするのではなく、ポート１フレーム送信信号２２４ａの受信データ量１、ポート２フレーム送信信号２２４ｂの受信データ量２の差をカウントする。
図３は図２で説明したデータ量比較回路２２３の動作例を説明するフローチャートである。本図に示すように、ステップＳ４０１において、データ量比較回路２２３は、ポート１フレーム送信信号２２４ａの受信データ量１とポート２フレーム送信信号２２４ｂの受信データ量２を比較する。
【００５９】
ステップＳ４０２において、データ量比較回路２２３では、受信データ量１−受信データ量２＞α（一定量）の成立を判断する。上記式が不成立の場合にはステップＳ４０４に進む。
ステップＳ４０３において、上記式が成立する場合には状態１の情報を自局データ量比較信号として多重回路２１７に送信し、処理を終了する。
【００６０】
ステップＳ４０４において、データ量比較回路２２３では、受信データ量２−受信データ量１＞α（一定量）の成立を判断する。上記式が不成立の場合にはステップＳ４０６に進む。
ステップＳ４０５において、上記式が成立する場合には状態２の情報を多重回路２１７に送信し、処理を終了する。
【００６１】
ステップＳ４０６において、データ量比較回路２２３では、｜受信データ量２−受信データ量１｜≦αの場合、状態０の情報を多重回路に送信し、処理を終了する。
図４は無線伝送装置１１及び１４の無線送受信回路１１３及び１４３のポート判定回路３１９の動作例を説明するフローチャートである。本図に示すように、ステップＳ４１１において、ポート判定回路３１９では、分離回路３２３の対向局データ量比較信号２２４ｃに状態１の情報を検出したかを確認する。確認できない場合にはステップＳ４１３に進む。
【００６２】
ステップＳ４１２において、ポート判定回路３１９では、状態１の情報の検出を確認した場合には、ポートカプセル化信号２１３ａの送信データ量１とポートカプセル化信号２１４ａの送信データ量２の割合を２：１にし、処理を終了する。
ステップＳ４１３において、ポート判定回路３１９では、分離回路３２３の対向局データ量比較信号２２４ｃに状態２の情報を検出したかを確認する。確認できない場合にはステップＳ４１５に進む。
【００６３】
ステップＳ４１４において、ポート判定回路３１９では、状態２の情報の検出を確認した場合には、ポートカプセル化信号２１３ａの送信データ量１とポートカプセル化信号２１４ａの送信データ量２の割合を１：２にし、処理を終了する。
ステップＳ４１５において、ポート判定回路３１９では、状態０の情報を検出する。
ステップＳ４１６において、ポート判定回路３１９では、状態０の情報の検出を確認した場合には、ポートカプセル化信号２１３ａの送信データ量１とポートカプセル化信号２１４ａの送信データ量２の割合を１：１にし、処理を終了する。上記の送信データ量の割合は一例であり、変更可能である。
【００６４】
図５は図４で説明したポート判定回路３１９による送信データ量の切り替の例を説明する図である。ここで、カプセル化信号２１５ｃとして送信する、ポート１カプセル化信号２１３ａもしくはポート２カプセル化信号２１４ａの切り替えは、積算カウンタリセット信号２１６ａにパルスを検出するタイミングで実施するものとする。
本図（ａ）に示すように、パルス検出時に切り替の条件は、対向局のデータ量比較信号２２４ｃに状態１の情報を検出した場合には、送信すべきポート１カプセル化信号２１３ａとポート２カプセル化信号２１４ａの送信データ量を割合が１対２になるように変え、ポート１カプセル化信号２１３ａからポート２カプセル化信号２１４ａへの切り替えは積算カウンタリセット信号２１６ａにパルスを１回検出する毎に行い、ポート２カプセル化信号２１４ａからポート１カプセル化信号２１３ａへの切り替えは積算カウンタリセット信号２１６ａにパルスを２回検出する毎に行うものとする。
【００６５】
本図（ｂ）に示すように、対向局のデータ量比較信号２２４ｃに状態２の情報を検出した場合には、送信すべきポート１カプセル化信号２１３ａとポート２カプセル化信号２１４ａの送信データ量を割合が２対１になるように変え、ポート１カプセル化信号２１３ａからポート２カプセル化信号２１４ａへの切り替えは積算カウンタリセット信号２１６ａにパルスを２回検出する毎に行い、ポート２カプセル化信号２１４ａからポート１カプセル化信号２１３ａへの切り替えは積算カウンタリセット信号２１６ａにパルスを１回検出する毎に行うものとする。
【００６６】
なお、対向局のデータ量比較信号２２４ｃに状態０の情報を検出した場合には、送信すべきポート１カプセル化信号２１３ａとポート２カプセル化信号２１４ａの送信データ量が１対１になるようする。
図６は無線劣化状態における、従来と本発明の動作例の相違を説明する図である。図６（ａ）に示すように、通常状態では、図７、図８の本発明の前提となる無線伝送装置１１、１４と、図７、図１の本発明の無線伝送装置１１、１４では、ポート１とポート２のデータの伝送量は同一である。
【００６７】
図６（ｂ）に示すように、無線劣化状態では、図７、図８の本発明の前提となる無線伝送装置１１、１４では、ポート１とポート２のデータの伝送量が相違し、ポート間の実効スループットを一定にできない。
図６（ｃ）に示すように、無線劣化状態では、図７、図１の本発明の無線伝送装置１１、１４では、ポート１とポート２のデータの伝送量が同一にでき、ポート間の実効スループットを一定にできる。
【００６８】
以上要約すれば、対向局の無線伝送装置１４のデータ量比較回路２２３において、ポート１フレーム送信信号２２４ａとポート２フレーム送信信号２２４ｂのデータ量を比較し、あらかじめ決めておいた比率に比べてどちらのポートのデータ量が多いかを比較し、比較結果をデータ量比較信号として、無線回線を通じて対向局の無線伝送装置１４のポート判定回路３１９へ送信する。
【００６９】
自局の無線伝送装置１１において、積算カウンタ３１６は、カプセル化信号２１５ｃのデータ量をカウントし、カウント値があらかじめ決められた一定の値を超えた後に、カウント中のフレームの終わりのタイミングで、ポート判定回路３１９へ、パルス信号を積算カウンタリセット信号２１６ａとして送信する。
ポート判定回路３１９は、ポート１カプセル化信号２１３ａ、ポート２カプセル化信号２１４ａ、積算カウンタリセット信号２１６ａ、対向局データ量比較信号２２４ｃを受信し、多重回路２１７へ、カプセル化信号２１５ｃとして、ポート１カプセル化信号２１３ａもしくはポート２カプセル化信号２１４ａを、積算カウンタリセット信号２１６ａにパルスを検出するタイミングで切り替えながら、多重回路２１７を経て、変復調回路１１４へ、デジタル受信信号１１３ｃとして送信する。
【００７０】
このときの切り替えの割合(ポート１カプセル化信号２１３ａとポート２カプセル化信号２１４ａの選択の割合)は、対向局データ量比較信号２２４ｃの内容により変化する。
上述したように、本願発明では、無線受信側回路３２のポート１フレーム送信信号２２４ａとポート２フレーム送信信号２２４ｂのデータ量の比率が一定になるように、無線送信側回路３１で送信するポート１カプセル化信号２１３ａとポート２カプセル化信号２１４ａの割合を調整しているので、ポート１ＬＡＮ信号とポート２ＬＡＮ信号の実効スループットの割合を一定にして各信号を伝送できる。
【００７１】
すなわち、本願発明では、対向局無線受信側回路で測定したポート１とポート２のデータ量の比較情報を、自局無線側回路にフィードバックすることにより、無線劣化により無線回線でフレームロスが発生した場合においても、ポート１とポート２間で実効スループットの割合が常に一定になるようにＬＡＮ信号を伝送できる。
以上説明したように、本発明においては、以下に記載するような効果を奏する。
【００７２】
第１の効果はデータの伝送量を無線受信側回路で測定しているので、無線劣化等により、無線伝送区間でフレームロスが発生しても、各ポート間の実効スループットの比率を一定にできることである。
第２の効果はポート１とポート２のデータの伝送量を、別々に測定しているのではなく、データ量比較回路によりポート１とポート２のデータの伝送量の差を比較しているので、回路規模を小さくできることである。
【００７３】
第３の効果はデータ量比較回路のデータ量比較条件を変更することにより、ポート１とポート２の実効スループットの比率を変更したり、ポート１、ポート２のスループットが変動する場合に、任意の時間におけるスループットの比率を一定に保つことができることである。
【実施例１】
【００７４】
本発明の他の実施例として、その基本的構成は上記の通りであるが、図１におけるデータ量比較回路２２３についてさらに工夫している。
本実施例では、データ量比較回路２２３に、カウントアップ、カウントダウンの条件を変えられるアップダウンカウンタを用いている。
例えば、ポート１フレーム送信信号２２４ａのデータ入力に対してカウントアップし、ポート２フレーム送信信号２２４ｂのデータ入力に対してカウントダウンすることにより、ポート１フレーム送信信号２２４ａの受信データ量１とポート２フレーム送信信号２２４ｂの受信データ量２との差をカウントし、カウント差の正負、カウント差と一定値αとの大小関係から、自局データ量比較信号を形成することが可能である。
【００７５】
このように、本実施例では、データ量比較回路２２３に構造が単純なアップダウンカウンタを用いているので、回路規模を大きくせずに、ポート１とポート２の実効スループットの比率を変えられるという効果が得られる。
【実施例２】
【００７６】
前述したように、積算カウンタ３１６では、カプセル化信号２１５ｃのデータ量をカウントし、カウント値があらかじめ決められた一定の値を超えた後に、カウント中のフレームの終わりのタイミングで、積算カウンタリセット信号２１６ａへパルスを送信し、積算カウンタを０へリセットするが、あらかじめ決められた一定の値を大きくし、データの比較結果を対向局へ伝送するデータ量比較信号２２３ａのデータ量を増やし、データ比較結果をより詳細に対向局に伝え、対向局のポート判定回路３１９において選択するポート１カプセル化信号２１３ａ、ポート２カプセル化信号２１４ａの比率をより細かく制御することにより、実効スループットの時間的な揺らぎを少なくすることができる。
【実施例３】
【００７７】
以上、２つのポートについて説明したが３以上の複数のポートであっても本発明の実現は可能である。
【産業上の利用可能性】
【００７８】
以上、一般的な無線伝送システムとして説明したが、拠点間の無線送受信装置に本発明の利用が可能である。
【図面の簡単な説明】
【００７９】
【図１】本発明に係る無線伝送システムを構成する無線伝送装置における無線送受信回路の概略構成を示すブロック図である。
【図２】無線伝送装置１１及び１４の無線送受信回路１１３及び１４３のデータ量比較回路２２３によりポート１フレーム送信信号２２４ａの受信データ量１、ポート２フレーム送信信号２２４ｂの受信データ量２との比較を説明する図である。
【図３】図２で説明したデータ量比較回路２２３の動作例を説明するフローチャートである。
【図４】無線伝送装置１１及び１４の無線送受信回路１１３及び１４３のポート判定回路３１９の動作例を説明するフローチャートである。
【図５】図４で説明したポート判定回路３１９による送信データ量の切り替の例を説明する図である。
【図６】無線劣化状態における、従来と本発明の動作例の相違を説明する図である。
【図７】本発明の背景となる無線伝送システムの概略構成例を示すブロック図である。
【図８】図７における無線送受信回路の概略構成例を示すブロック図である。
【符号の説明】
【００８０】
１１，１４…無線伝送装置
１２、１３…アンテナ
３１…無線送信側回路
３２…無線受信側回路
１１１、１１２、１４１、１４２…ＬＡＮポート
１１３、１４３…無線送受信回路
１１４、１４４…変復調回路
２１７…多重回路
２２３…データ量比較回路
３１１、３１３…受信フレームバッファ
３１２、３１４…オーバーカウンタ
３１５、３１７…ポート情報付加回路
３１６、３１８…積算カウンタ
３１９…ポート判定回路
３２１、３２２…送信フレームバッファ
３２３…分離回路
【図１】
2009232147.tif 000003
【図２】
2009232147.tif 000004
【図３】
2009232147.tif 000005
【図４】
2009232147.tif 000006
【図５】
2009232147.tif 000007
【図６】
2009232147.tif 000008
【図７】
2009232147.tif 000009
【図８】
2009232147.tif 000010